(57)【要約】【課題】収納ボックスなどの単位収納体を複数組み合わせて構成される収納システムでありながら、各単位収納体単独では収納し得ないような長物や大物であっても収納することができる収納システムを提供する。【解決手段】複数の単位収納体１，１を組み合わせて構成される収納システムにおいて、収納物を隣り合う少なくとも二つの単位収納体１，１の収納部１０，１０内に渡して収納できるようになされている。【選択図】　　　図３
2004057220.tif 000002
【特許請求の範囲】
【請求項１】
複数の単位収納体を組み合わせて構成される収納システムにおいて、収納物を隣り合う少なくとも二つの単位収納体の収納部内に渡して収納できるようになされていることを特徴とする収納システム。
【発明の詳細な説明】
【０００１】
【発明の属する技術分野】
本発明は、収納システムに関する。
【０００２】
【従来の技術】
インテリア家具などにおいて、複数の収納ボックスを使用者の好みや用途に応じて自由に組み合わせることができるようになされた収納システムは、従来より知られている。
【０００３】
【発明が解決しようとする課題】
しかしながら、従来の収納システムでは、収納物を収納ボックス単位で収納するようになされており、そのため、収納ボックスの数を多くすることによってシステム内の合計収納容積を大きく確保することはできても、長物や大物を収納することができないという問題があった。
【０００４】
本発明は、このような問題点に鑑み、収納ボックスなどの単位収納体を複数組み合わせて構成される収納システムでありながら、各単位収納体単独では収納し得ないような長物や大物であっても収納することができる収納システムを提供することを課題とする。
【０００５】
【課題を解決するための手段】
上記の課題は、複数の単位収納体を組み合わせて構成される収納システムにおいて、収納物を隣り合う少なくとも二つの単位収納体の収納部内に渡して収納できるようになされていることを特徴とする収納システムによって解決される。
【０００６】
この収納システムでは、収納物を隣り合う少なくとも二つの単位収納体の収納部内に渡して収納できるようになされているので、各単位収納体では収納し得ないような長物や大物であっても収納することができる。
【０００７】
【発明の実施の形態】
次に、本発明の実施形態を図面に基づいて説明する。
【０００８】
図１〜図３に示す実施形態の収納システムにおいて、１は単位収納体としての収納ボックスであり、この収納ボックス１は、上面を座面にできるような所定の高さ寸法を備えた半畳タイプの平面視正方形状のものからなり、図１（イ）に示すように、左右の側板１ａ，１ａと、左右の側板１ａ，１ａを上部の前後位置で連結している上枠１ｂ，１ｂと、左右の側板１ａ，１ａを下部の前後位置で連結している下枠１ｃ，１ｃと、底板１ｄとを一体的に備えている。
【０００９】
そして、この収納ボックス１には、図１（ロ）に示すように、前後の開口部４，４を開閉する扉２，２，２，２と、上開口部５を開閉する上蓋３，３とを取り付けることができるようになされている。本実施形態では、扉２，２，２，２と上蓋３，３は丁番で収納ボックス１に連結されて開口部４，４，５を開閉するようになされているが、その他の開閉連結手段により連結されて開口部４，４，５を開閉するようになされていてもよいし、連結手段によらずにスライド式や嵌め込み式などによって開口部４，４，５を開閉するようになされていてもよい。
【００１０】
この収納ボックス１では、図１（ロ）に示すように、前後の開口部４，４を扉２…で開閉できるようにすると共に、上開口部５を上蓋３，３で開閉できるようにすることで、これら扉２…や上蓋３，３を開いて内部１０に収納物を収納し、扉２…や上蓋３，３を閉じた状態にして内部の収納物を隠蔽状態にすることができる。
【００１１】
なお、本実施形態では、収納ボックス１の下面部に図示しないキャスターが備えられ、また、上面には図２（イ）に示すように置き畳９が設置されるが、これに限らず、カーペット類や、木、合成樹脂、金属などの各種材質からなる化粧板などが設置されてもよい。また、これらは省略されてもよい。
【００１２】
本発明の収納システムは、例えば上記のような収納ボックス１を複数個組み合わせて構成される。その一例を図２（ロ）及び図３に示す。この収納システムは、二つの収納ボックス１，１を前後方向に連ねるように組み合わせてネジなどで連結一体化したもので、図２（ロ）に示すように、各収納ボックス１，１の上開口部５は上蓋３…で開閉されるようになされていると共に、前後方向において相反する位置にある開口部４は扉２…で開閉されるようになされている。そして、前後方向において相対向する開口部４の扉は省略され、それによって、両収納ボックス１，１内の収納部１０，１０同士が連通している。
【００１３】
この収納システムによれば、図３に示すように、一つの収納ボックス１の収納部１０内では収納し得ないような長物、例えば巻いたカーペット１１であっても、それを前後の収納ボックス１，１の収納部１０に渡すように収納することで、内部隠蔽状態に収納することができる。その他、スキー板や釣り竿、ゴルフバック、掃除機なども収納することが可能である。
【００１４】
また、図４に示す本発明の収納システムは、八つの収納ボックス１…を水平方向に組み合わせて四畳半サイズの掘り炬燵式座卓に構成した場合のものである。この場合には、より長い収納物１１であっても、それを前後方向において隣り合う三つの収納ボックス１…の収納部に渡すように収納することができる。このように、組み合せる収納ボックス１の数や組合せの形態は、使用者の好みや用途に応じて種々決められてよい。
【００１５】
以上に、本発明の実施形態を示したが、本発明はこれに限られるものではなく、発明思想を逸脱しない範囲で、各種の変更が可能である。例えば、上記の実施形態では、収納ボックスが上面を座面にできるような高さ寸法を備えた半畳タイプの平面視正方形状のものからなっている場合を示しているが、収納ボックスの高さ寸法や平面形状、平面サイズ、構造等に特段の制限はなく、自由に決められてよい。また、上記の実施形態では、複数の収納ボックスを水平方向に組み合わせ、それらの収納部を水平方向に連通させるようにした場合を示しているが、図５（イ）に示すように、ボックスの構造は異ならせる必要のある場合もあるけれども、複数の収納ボックス１…を垂直方向に組み合わせ、それらの収納部を垂直方向において連通させるようにしたり、図５（ロ）に示すように、複数の収納ボックス１…を垂直方向と水平方向の両方向に組み合わせ、それらの収納部を垂直方向において連通させたり、水平方向に連通させたり、垂直方向と水平方向の両方に連通させたりしてもよい。また、本実施形態では、単位収納体としてボックスタイプのものが用いられているが、本発明ではボックスタイプに限られない。
【００１６】
【発明の効果】
本発明は、以上のとおりのものであるから、単位収納体を複数組み合わせて構成される収納システムでありながら、各単位収納体単独では収納し得ないような長物や大物であっても収納することができる。
【図面の簡単な説明】
【図１】図（イ）は実施形態の収納システムに用いられる収納ボックスを示す斜視図、図（ロ）はこの収納ボックスに扉や蓋を取り付けた状態の斜視図である。
【図２】図（イ）は置き畳を分離状態にして示す収納ボックスの斜視図、図（ロ）はシステムの構成例を示すもので、収納ボックス同士を分離状態にして示す斜視図である。
【図３】図（イ）は同連結状態の斜視図、図（ロ）は収納状態の斜視図である。
【図４】システムの他の構成例を示す斜視図である。
【図５】図（イ）及び図（ロ）はそれぞれ他の実施形態にかかるシステム構成例を示す斜視図である。
【符号の説明】
１…収納ボックス（単位収納体）
１０…収納部
【図１】
2004057220.tif 000003
【図２】
2004057220.tif 000004
【図３】
2004057220.tif 000005
【図４】
2004057220.tif 000006
【図５】
2004057220.tif 000007